(57)【特許請求の範囲】
【請求項１】
複数の液滴吐出ヘッドをユニットプレートに固定したヘッドユニットを備える液滴吐出装置であって、
ヘッドユニットを取付ける取付け部を有し、
前記複数の液滴吐出ヘッドは、前記ユニットプレート上に形成された一対の第一基準点の中点を基準に点対称の位置に配置されており、
前記ヘッドユニットは、前記一対の第一基準点を通る直線上で、前記取付け部に設けられた位置規制部材により位置決めされていることを特徴とする液滴吐出装置。
【請求項２】
前記ヘッドユニットと描画対象は２方向に相対移動し、
前記直線の延在方向が、前記２方向のうちの１方向に一致することを特徴とする請求項１に記載の液滴吐出装置。
【発明の詳細な説明】
【技術分野】
【０００１】
本発明は、液滴を吐出するヘッドを有するヘッドユニット、当該ヘッドユニットを備えた液滴吐出装置、当該ヘッドユニットを組立てるヘッドユニット組立方法、及びヘッドユニット組立装置に関する。
【背景技術】
【０００２】
従来から、カラー液晶装置のカラーフィルタ膜や有機エレクトロルミネセンス装置の発光膜などの機能膜を形成する技術として、液体を液滴として吐出する液滴吐出ヘッドを有する液滴吐出装置を用いて、機能膜の材料を含む液状材料の液滴を吐出して基板上の任意の位置に着弾させ、着弾した液状材料を乾燥させて機能膜を形成する技術が知られている。このような膜形成に用いられる液滴吐出装置の液滴吐出ヘッドは、そのノズル列から微小な液滴を精度良く且つ選択的に吐出することができるため、液晶表示装置のカラーフィルタの製造などの他にも、各種の電子デバイスや光デバイス等の製造装置への応用も期待されている。
【０００３】
このような応用技術を考慮すると、液滴吐出ヘッド自体の性能に加え、液滴吐出ヘッドの液滴吐出ノズルが基板の所望の位置に対向するように液滴吐出ヘッドと基板とを相対移動させる走査機構の位置精度や、その前提となる液滴吐出装置におけるノズル（ノズル列）の位置精度（組付け精度）に、高い精度が要求される。また、吐出対象となる液体等によっては、液滴吐出ヘッドの寿命が短くなり、液滴吐出ヘッドの頻繁な交換も考慮する必要がある。特許文献１には、複数の液滴吐出ヘッドを、単一のキャリッジに安定に且つ精度良く組み付けることができるヘッドユニットの構成および組立方法（複数ＩＪヘッド搭載サブキャリッジおよびその組立方法）が開示されている。
【０００４】
【特許文献１】特開２００５―２２４６８５号公報
【発明の開示】
【発明が解決しようとする課題】
【０００５】
しかしながら、一般的に、組立てられたヘッドユニットには必ず組立誤差が存在し、液滴吐出ヘッドの位置の組立誤差によって、液滴吐出ヘッドの位置誤差、即ち液滴吐出ノズルの位置誤差が生ずることで、液滴吐出ノズルの位置精度が低下するという課題があった。また、該組立誤差は、多数の液滴吐出ヘッドが単一のキャリッジに組み付けられてヘッドユニットが大型になるほど大きくなるという課題があった。特許文献１に開示されたようなヘッドユニットの構成および組立方法を適用する場合であっても、ヘッドユニットが大型になることが組立誤差に及ぼす影響を抑制することが求められる。
【０００６】
本発明は、上記課題を解決するためのものであり、組み付けられた液滴吐出ヘッドの位置誤差の要因を抑制して、液滴吐出ノズルの位置ばらつきを小さくすることができる液滴吐出装置、ヘッドユニット、ヘッドユニット組立方法、及びヘッドユニット組立装置を実現することを目的とする。
【課題を解決するための手段】
【０００７】
本発明による液滴吐出装置は、複数の液滴吐出ヘッドをユニットプレートに固定したヘッドユニットを備える液滴吐出装置であって、ヘッドユニットを取付ける取付け部を有し、複数の液滴吐出ヘッドは、ユニットプレート上に形成された一対の第一基準点の中点を基準に点対称の位置に配置されており、ヘッドユニットは、一対の第一基準点を通る直線上で、取付け部に設けられた位置規制部材により位置決めされていることを特徴とする。
【００１１】
本発明において、ヘッドユニットと描画対象は２方向に相対移動し、直線の延在方向が、２方向のうちの１方向に一致することが好ましい。
【発明を実施するための最良の形態】
【００４７】
以下、本発明に係るヘッドユニット組立方法、液滴吐出装置、及びヘッドユニット組立装置の一実施形態について図面を参照して、説明する。
【００４８】
（液滴吐出装置）
最初に、液滴吐出装置の全体構成について、図１を参照して説明する。図１は液滴吐出装置の概略構成を示す外観斜視図である。図１に示すように、液滴吐出装置１は、液状体を液滴として吐出して着弾させる対象である描画対象としての基板Ｗを載置するための基板ステージ１４と、基板ステージ１４を主走査方向に移動させるＸ軸走査機構１０と、を備えている。また、複数の液滴吐出ヘッド４０（図２参照）を搭載するヘッドユニット３０（図５参照）を有するキャリッジ２２（図６参照）を備えるキャリッジユニット２０と、キャリッジユニット２０を副走査方向に移動させるＹ軸走査機構１７と、を備えている。図１に矢印で示したように、主走査方向をＸ軸方向、主走査方向（Ｘ軸方向）に略直交する副走査方向をＹ軸方向、Ｘ軸方向及びＹ軸方向に直交する方向をＺ軸方向、Ｚ軸方向回りの回動方向をθ方向と表記する。
【００４９】
基板ステージ１４は、基板Ｗを真空吸着して固定する吸着テーブルであり、回動機構１６を介してＸ軸移動プレート１２に、θ方向に回動可能に固定されている。Ｘ軸走査機構１０は、Ｘ軸移動プレート１２と、床上に設置されてＸ軸方向に延在しており、Ｘ軸移動プレート１２をエアスライダ（図示省略）を介してＸ軸方向に移動させるリニアモータ１１ａを備えた一対のＸ軸ガイドレール１１，１１とを有している。一対のＸ軸ガイドレール１１，１１を挟むように、収容ボックス９が２個所配設されている。収容ボックス９内には、エアスライダに圧縮空気を供給するエアー供給手段の給気パイプや、Ｘ軸走査機構１０に駆動信号などを送る信号ケーブルなどが収容されている。
【００５０】
キャリッジユニット２０は、キャリッジプレート２１を備え、キャリッジ２２がキャリッジプレート２１にθ方向に回動可能に取付けられている。キャリッジプレート２１は、一対のＹ軸ガイドレール１８，１８に差し渡されるようにして配置されている。差し渡されたキャリッジプレート２１の上には、各液状体が貯留されたタンクから配管を経由して送り込まれた液状体を所定量貯留して、各液滴吐出ヘッド４０に液状体を供給する液状体供給ユニット２３と、各液滴吐出ヘッド４０を駆動するための電気信号を供給するヘッド用電装ユニット２４とが、載置されている。
【００５１】
Ｙ軸走査機構１７は、１０基のキャリッジユニット２０をエアスライダ（図示省略）を介してＹ軸方向に移動させるリニアモータ１８ａを備えた一対のＹ軸ガイドレール１８，１８を有している。１０基のキャリッジユニット２０はそれぞれ個別にＹ軸方向に移動可能である。一対のＹ軸ガイドレール１８，１８は、床上に間隔を置いて立脚した６本の支持スタンド１９上に、Ｘ軸走査機構１０を跨ぐように配設されている。
【００５２】
一対のＹ軸ガイドレール１８，１８の間には、キャリッジ２２（ヘッドユニット３０）に搭載された複数の液滴吐出ヘッド４０のノズルの目詰まりの解消、ノズル面の異物や汚れの除去などのメンテナンスを行うメンテナンスユニット２６が、複数の液滴吐出ヘッド４０を臨む位置に配設されている。
【００５３】
（液滴吐出ヘッド）
次に、図２を参照して液滴吐出ヘッド４０について説明する。図２は、液滴吐出ヘッドをノズル形成プレート側から見た外観斜視図である。この液滴吐出ヘッド４０は、いわゆる２連のものであり、２連の接続針４６，４６を有する液体導入部４５と、液体導入部４５の側方に連なる２連のヘッド基板４７と、液体導入部４５に連なる２連のポンプ部４８と、ポンプ部４８に連なるノズル形成プレート４１とを備えている。液体導入部４５には、配管接続部材が接続され、ヘッド基板４７には、フレキシブルフラットケーブルが接続される。一方、このポンプ部４８とノズル形成プレート４１とにより、方形のヘッド本体４０Ａが構成されている。
【００５４】
ポンプ部４８の基部側、すなわちヘッド本体４０Ａの基部側は、液体導入部４５を受けるべく方形フランジ状にフランジ部４４が形成されている。このフランジ部４４には、液滴吐出ヘッド４０を副ヘッド保持部材３３（図３参照）に固定する小ねじ用のねじ孔（雌ねじ）４９が一対形成されている。この一対のねじ孔４９，４９は、両長辺部分に位置し、且つノズル形成面４１ａの中心に対し点対称となるように配設されている。詳細は後述するが、副ヘッド保持部材３３を貫通してねじ孔４９に螺合した２本のヘッド止めねじ３７，３７により、液滴吐出ヘッド４０が副ヘッド保持部材３３に固定される（図３参照）。
【００５５】
ノズル形成プレート４１のノズル形成面４１ａには、ノズル形成プレート４１に形成されており液滴を吐出する吐出ノズル４２から成る２本のノズル列４３，４３が形成されている。２本のノズル列４３，４３は相互に平行に列設されており、各ノズル列４３は、等ピッチで並べた１８０個（図示では模式的に表している）の吐出ノズル４２で構成されている。すなわち、ヘッド本体４０Ａのノズル形成面４１ａには、その中心線を挟んで２本のノズル列４３，４３が対称に配設されている。
【００５６】
（液滴吐出ヘッドの取付）
次に、液滴吐出ヘッド４０のユニットプレート５１への取付構造について、図３を参照して説明する。図３は、液滴吐出ヘッドのユニットプレートへの取付構造を示す図である。図３（ａ）は、ユニットプレートに取付けられた液滴吐出ヘッドをノズルプレート側からみた平面図であり、図３（ｂ）は、図３（ａ）にＡ−Ａで示した断面の断面図である。
【００５７】
図３（ａ）及び（ｂ）に示すように、ユニットプレート５１にはヘッド開口５１ａが形成されており、主ヘッド保持部材３２がヘッド開口５１ａを略覆うように、ユニットプレート５１に固定されている。主ヘッド保持部材３２は、主ヘッド保持部材３２に形成された孔を貫通してユニットプレート５１に形成されたねじ孔に螺合した３本の保持部材ねじ３８により、ユニットプレート５１に固定されている。（以降、主ヘッド保持部材３２がセットされた側を「裏面側」と表記し、反対側を「表面側」と表記する。）
【００５８】
主ヘッド保持部材３２にはフランジ開口３２ａが形成されており、副ヘッド保持部材３３は、その長辺方向の両端部でフランジ開口３２ａを跨ぐようにして、主ヘッド保持部材３２の裏面側に固定されている。副ヘッド保持部材３３は、副ヘッド保持部材３３に形成された孔を貫通して主ヘッド保持部材３２に形成されたねじ孔に螺合した２本の保持部材ねじ３８により、主ヘッド保持部材３２に固定されている。
【００５９】
副ヘッド保持部材３３は、ステンレス等で構成された略長方形の平板状に形成されている。副ヘッド保持部材３３には、その中央に液滴吐出ヘッド４０のヘッド本体４０Ａが挿通する方形のヘッド本体開口３３ｄが形成されている。上記したように、副ヘッド保持部材３３は、フランジ開口３２ａを跨ぐようにして主ヘッド保持部材３２の裏面側にセットされている。これに対し液滴吐出ヘッド４０は、そのヘッド本体４０Ａをヘッド本体開口３３ｄに挿通してヘッド本体４０Ａを副ヘッド保持部材３３の裏面側に突出させるようにして、主ヘッド保持部材３２の表面側からセットされている。液滴吐出ヘッド４０は、副ヘッド保持部材３３に形成された孔を貫通してフランジ部４４に形成されたねじ孔４９に螺合した２本のヘッド止めねじ３７により、副ヘッド保持部材３３に固定されている。
【００６０】
副ヘッド保持部材３３のヘッド本体開口３３ｄの周囲には、上記したねじ孔４９に対応する２つの貫通孔、及びヘッド本体開口３３ｄの中心線上において第一調整穴３３ａと第二調整穴３３ｂとが形成されている。第一調整穴３３ａ及び第二調整穴３３ｂは、後述するヘッドユニット組立装置１００（図７参照）における位置補正用の調整ピン１２１（図７参照）が係合される部位である。この場合、一対の調整ピン１２１，１２１の係合が無理なく為されるように、第一調整穴３３ａが円形に、第二調整穴３３ｂが上記中心線方向に長い長円形に形成されている。
【００６１】
また、ヘッド本体開口３３ｄの中心線上において、第一調整穴３３ａ及び第二調整穴３３ｂのヘッド本体開口３３ｄの反対側には２つの接着剤孔３３ｃが、ヘッド本体開口３３ｄに関して略対称位置に形成されている。各接着剤孔３３ｃは副ヘッド保持部材３３の横断方向に延びる長孔となっている。接着剤孔３３ｃに接着剤を注入して、当該接着剤（図示省略）によって副ヘッド保持部材３３を主ヘッド保持部材３２に接着固定する。
【００６２】
なお、液滴吐出ヘッド４０がヘッド止めねじ３７により副ヘッド保持部材３３に固定されており、副ヘッド保持部材３３の保持部材ねじ３８および接着剤による主ヘッド保持部材３２への固定がなされていない状態では、液滴吐出ヘッド４０は、ユニットプレート５１に対して、フランジ部４４とフランジ開口３２ａとの隙間分、またはヘッド基板４７とヘッド開口５１ａとの隙間分だけ移動可能に、固定された状態となる。本実施形態では、このような状態を「仮装着」状態と表記する。副ヘッド保持部材３３及びヘッド基板４７はフランジ開口３２ａの開口より大きいため、仮装着状態の液滴吐出ヘッド４０（液滴吐出ヘッド４０が主ヘッド保持部材３２を挟んで副ヘッド保持部材３３に固定された液滴吐出ヘッド４０と副ヘッド保持部材３３との組）が主ヘッド保持部材３２から脱落することはない。液滴吐出ヘッド４０のユニットプレート５１への組付けは、液滴吐出ヘッド４０を仮装着し、次に仮装着状態の液滴吐出ヘッド４０の位置調整を行った後に、副ヘッド保持部材３３の主ヘッド保持部材３２への接着剤による接着固定、及び保持部材ねじ３８によるねじ固定を行うことで実行される。
【００６３】
（基準ピン）
次に、液滴吐出ヘッド４０のユニットプレート５１上の位置を規定する際の基準となる基準ピン５４について、図４を参照して説明する。一対の基準ピン５４，５４（図５参照）は、ヘッドユニット３０が取付けられたキャリッジユニット２０を液滴吐出装置１に取付ける際にθ方向に位置決め（位置認識）するための基準としても用いられる。また、ヘッドユニット３０（ユニットプレート５１）をヘッドユニット組立装置１００（図７参照）に取付ける際にθ方向に位置決めするための基準としても用いられる。一対の基準ピン５４，５４のユニットプレート５１上の配置位置については後述する。
【００６４】
図４（ａ）は、基準ピンを基準マーク孔側から見た平面図であり、図４（ｂ）は、基準ピンの側面図である。図４に示すように、各基準ピン５４は、円柱状のピン本体と、ピン本体の先端面５７の中央部に形成した凹状、具体的には孔状の基準マーク孔５６とで構成されている。ピン本体は、ユニットプレート５１に圧入するための基部圧入部５４ｂと、基部圧入部５４ｂに連なる胴部５４ａと、胴部５４ａの先端に突出形成したマーク形成部５４ｃとから成り、このマーク形成部５４ｃの先端面５７に基準マーク孔５６が形成されている。
【００６５】
先端面５７は鏡面加工されており、この先端面５７の中心位置に基準マーク孔５６となる小孔が穿孔されている。小孔（基準マーク孔５６）は、例えば直径０．３ｍｍ程度のものであり、基部圧入部５４ｂから胴部５４ａにかけてその軸心部分に形成した軸心孔に連通している。なお、基準ピン５４は、断面を円形状として説明したが、楕円状でも、多角形状でも構わない。さらに、小孔の基準マーク孔５６も、小孔に限定されるものではなく、充分なコントラストが得られるような溝を持つ凹形状であればよく、その凹の平面形状も円形に限定されるものではない。基準マーク孔５６が、第一基準点に相当する。
【００６６】
このように形成された基準ピン５４は、ユニットプレート５１に形成した取付用の孔部分に基部圧入部５４ｂを打ち込むようにして圧入される。ユニットプレート５１に圧入された基準ピン５４は、先端面５７の高さが、ユニットプレート５１に取付けられた液滴吐出ヘッド４０のノズル形成面４１ａ（図２又は図３参照）と略同一高さとなるように、ユニットプレート５１の裏面側から突出している。すなわち、基準ピン５４の画像認識面となる先端面５７と、液滴吐出ヘッド４０の画像認識面となるノズル形成面４１ａとが、略同一平面内に位置するようになっている。
【００６７】
（ヘッドユニット）
次に、図５を参照してヘッドユニット３０の全体構成について説明する。図５は、キャリッジにおけるヘッドユニットの平面図である。図３を参照して説明したように、ヘッドユニット３０のユニットプレート５１には、主ヘッド保持部材３２及び副ヘッド保持部材３３を介して液滴吐出ヘッド４０が取付けられている。図５に示すように、１基のヘッドユニット３０は、１２個の液滴吐出ヘッド４０を備えている。ユニットプレート５１には、基準マーク孔５６（図４参照）が形成された一対の基準ピン５４，５４が固定されており、１２個の液滴吐出ヘッド４０はそれぞれ基準ピン５４に形成された基準マーク孔５６を基準として、適切な位置に位置決めして固定されている。
【００６８】
ユニットプレート５１には、また、第一位置規制孔５２ａと、第二位置規制孔５２ｂと、が形成されている。第一位置規制孔５２ａ及び第二位置規制孔５２ｂは、キャリッジ枠６２に立設された位置規制ピン６３に嵌合することで、ユニットプレート５１（ヘッドユニット３０）のキャリッジ枠６２に対するＸ軸とＹ軸とに平行な平面方向の位置を規定している。この場合、一対の位置規制ピン６３の相互間の距離がばらついても係合が無理なく為されるように、第一位置規制孔５２ａが円形に、第二位置規制孔５２ｂが第一位置規制孔５２ａの中心と第二位置規制孔５２ｂの中心とを結ぶ直線の方向に長い長円形に形成されている。図５に示したＸ軸、Ｙ軸、Ｚ軸は、図１に示したＸ軸、Ｙ軸、Ｚ軸と同一である。即ち、ヘッドユニット３０が液滴吐出装置１に取付けられた状態では、液滴吐出ヘッド４０に形成されたノズル列４３（図２参照）は、Ｙ軸方向に延在する構成になっている。ヘッドユニット３０は、ユニットプレート５１に形成されたユニット固定孔５３を貫通してキャリッジ枠６２に形成されたねじ孔６４に螺合した４本のユニット固定ねじ６８により、キャリッジ枠６２に固定されている。
【００６９】
次に、液滴吐出ヘッド４０と、一対の基準マーク孔５６，５６と、第一位置規制孔５２ａと、第二位置規制孔５２ｂとの、ユニットプレート５１上の位置関係について説明する。図５に一点鎖線で示した線Ａは、一対の基準マーク孔５６，５６のそれぞれの中心を通る仮想線である。同じく一点鎖線で示した線Ｂは、一対の基準マーク孔５６，５６の中点Ｇで線Ａと直交する仮想線である。ヘッドユニット３０が液滴吐出装置１に取付けられた状態では、線Ａは主操作方向であるＸ軸方向に延在し、線Ｂは副操作方向であるＹ軸方向に延在する。第一位置規制孔５２ａと、第二位置規制孔５２ｂとも、その中心を線Ａが通る位置に形成されている。図５に示したように、１２個の液滴吐出ヘッド４０をそれぞれヘッド４００ａ，４００ｂ，４００ｃ，４００ｄ，４００ｅ，４００ｆ，４０１ａ，４０１ｂ，４０１ｃ，４０１ｄ，４０１ｅ，４０１ｆと表記する。
【００７０】
ヘッド４００ａとヘッド４００ｄとはＹ軸方向にノズル列４３の長さだけずれている。ヘッド４００ａのノズル列４３，４３とヘッド４００ｄのノズル列４３，４３とで、液滴吐出ヘッド４０のノズル列４３の２倍の長さのノズル列を構成している。なお、ノズル列４３を構成する吐出ノズル４２の一部を使用しない場合には、ヘッド４００ａとヘッド４００ｄとの使用する吐出ノズル４２が連続したノズル列となるように構成する。同様に、ヘッド４００ｂとヘッド４００ｅとで、又はヘッド４００ｃとヘッド４００ｆとで、ノズル列４３の２倍の長さのノズル列を構成している。ヘッド４００ａとヘッド４００ｂとヘッド４００ｃとはＹ軸方向にノズル列４３の長さの３分の１の長さだけずれている。従って、６個のヘッド４００ａ，４００ｂ，４００ｃ，４００ｄ，４００ｅ，４００ｆは、Ｙ軸方向にノズル列４３の長さの３分の１の長さだけずれて配列されている。６個のヘッド４００ａ，４００ｂ，４００ｃ，４００ｄ，４００ｅ，４００ｆは、Ｘ軸方向に等間隔で、線Ｂの両側に各３個ずつ配置されている。
【００７１】
ヘッド４０１ｆ，４０１ｅ，４０１ｄ，４０１ｃ，４０１ｂ，４０１ａは、ヘッド４００ａ，４００ｂ，４００ｃ，４００ｄ，４００ｅ，４００ｆに対して中点Ｇに関して点対称の位置及び方向に配置されている。ヘッド４０１ｆ，４０１ｅ，４０１ｄ，４０１ｃ，４０１ｂ，４０１ａのそれぞれを固定するための主ヘッド保持部材３２及び副ヘッド保持部材３３も、ヘッド４００ａ，４００ｂ，４００ｃ，４００ｄ，４００ｅ，４００ｆのそれぞれを固定するための主ヘッド保持部材３２及び副ヘッド保持部材３３に対して中点Ｇに関して点対称の位置及び方向に配置されている。また、ユニットプレート５１の外形形状も中点Ｇに関して点対称となる形状であり、第一位置規制孔５２ａと、第二位置規制孔５２ｂとは、線Ｂに関して互いに対称の位置に形成されており、４個所のねじ孔６４も線Ｂに関して互いに対称の位置に形成されている。
【００７２】
ヘッド４００ａから４００ｆ及びヘッド４０１ａから４０１ｆの中で、中点Ｇから各ヘッド４００ａから４００ｆ及びヘッド４０１ａから４０１ｆまでの距離が最大のヘッドはヘッド４００ｆ及びヘッド４０１ａである。当該距離をＬとすると、中点Ｇ以外の点からヘッド４００ｆ又はヘッド４０１ａまでの距離のいずれか一方は、Ｌより大きくなる。従って、中点Ｇが、複数の液滴吐出ヘッドのそれぞれから位置の重心である基準点に相当する。
【００７３】
（キャリッジユニット）
次に、図６を参照してキャリッジユニット２０の全体構成について説明する。図６は、キャリッジユニットの側面図である。キャリッジユニット２０は、キャリッジプレート２１を備え、キャリッジ２２が吊下機構７０を介してキャリッジプレート２１にθ方向に回動可能に取付けられている。上述したように、キャリッジプレート２１は、一対のＹ軸ガイドレール１８に差し渡されるようにして配置されている。差し渡されたキャリッジプレート２１の上には、各液状体が貯留されたタンクから配管を経由して送り込まれた液状体を所定量貯留して、各液滴吐出ヘッド４０に液状体を供給する液状体供給ユニット２３と、各液滴吐出ヘッド４０を駆動するための電気信号を供給するヘッド用電装ユニット２４とが、載置されている。
【００７４】
吊下機構７０は、吊下基板７１と、吊下回動軸７２と、吊下支持枠７３と、吊下回動枠７４と、押え枠７６と、を有している。吊下基板７１が、キャリッジプレート２１の下面に固定され、吊下基板７１に一体に垂設された略円柱形状の吊下回動軸７２の先端には、フランジ状に張り出した吊下支持枠７３が形成されている。吊下回動枠７４は、中央付近に形成された穴が吊下回動軸７２に遊嵌しており、穴の周辺において吊下支持枠７３によって支持されている。吊下支持枠７３と、吊下回動枠７４との間には回動モータ（図示省略）が形成されており、吊下回動枠７４をθ方向に回動させることができる。吊下回動枠７４は、吊下回動軸７２に固定された押え枠７６によって、吊下支持枠７３から離反する方向へ移動することを規制されている。吊下回動枠７４の周辺の端部には、キャリッジ２２のキャリッジ枠６２が固定されている。図６に示したように、キャリッジ２２は、吊下機構７０の下に垂設されるように支持されている。この状態で、キャリッジ２２のユニットプレート５１の中心Ｇ（図５参照）は、吊下回動枠７４の回動中心軸と、略一致している。回動モータによって吊下回動枠７４を回動させることで、吊下機構７０に垂設されたキャリッジ２２をθ方向に回動させる。これにより、図５や図６に示したＸ軸、Ｙ軸方向を、図１に示したＸ軸、Ｙ軸方向に一致させることで、液滴吐出ヘッド４０に形成されたノズル列４３の延在方向をＹ軸方向に一致させる。
【００７５】
上述したように、ヘッドユニット３０は、キャリッジ枠６２に設けられた位置規制ピン６３をユニットプレート５１に形成された第一位置規制孔５２ａ及び第二位置規制孔５２ｂに嵌入させることで、キャリッジ枠６２に対して位置決めされている。位置決めされたヘッドユニット３０は、ユニットプレート５１に形成されたユニット固定孔５３を貫通してキャリッジ枠６２に形成されたねじ孔６４に螺合した４本のユニット固定ねじ６８により、キャリッジ枠６２に固定されている。液状体供給ユニット２３に貯留された液状体は、図示省略した給液管及びバルブを経由して液滴吐出ヘッド４０に供給される。ヘッド用電装ユニット２４から供給される電気信号は、ＩＦ基板６９で中継されて、図示省略した配線ケーブルを経由して液滴吐出ヘッド４０に供給される。
【００７６】
（ヘッドユニット組立装置）
次に、ヘッドユニット３０を組立てるヘッドユニット組立装置１００について説明する。ヘッドユニット組立装置１００は、上記したヘッドユニット３０を組立対象物とし、ユニットプレート５１に仮装着した１２個の液滴吐出ヘッド４０をそれぞれ精度良く位置決めして接着（一次固定）するものである。なお、このヘッドユニット組立装置１００で、液滴吐出ヘッド４０を一次固定したヘッドユニット３０は、保持部材ねじ３８を用いてさらに固定する二次固定工程及び洗浄工程を経て、キャリッジ枠６２にセットされる。図７は、ヘッドユニット組立装置の構成を示す模式図である。
【００７７】
図７に示すように、ヘッドユニット組立装置１００は、ユニット移動装置１０１、ヘッド補正装置１０２、接着固定装置（図示省略）、及び認識装置１０４を備えている。ユニット移動装置１０１は、ヘッドユニット３０を搭載し、これをＸ軸及びＹ軸に平行な平面内においてＸ軸方向、Ｙ軸方向、θ方向に移動させる。ヘッド補正装置１０２は、ユニットプレート５１に仮装着されている各液滴吐出ヘッド４０の位置を適切な位置に合わせ込む位置補正を行う。接着固定装置は、接着剤孔３３ｃ（図３参照）に流入させるように接着剤を供給して、ユニットプレート５１に対して位置補正された各液滴吐出ヘッド４０を、当該位置に一次固定（接着固定）する。認識装置１０４は、液滴吐出ヘッド４０の位置補正に先立ってユニットプレート５１及び各液滴吐出ヘッド４０を位置認識する。ヘッドユニット組立装置１００はまた、これらユニット移動装置１０１、ヘッド補正装置１０２、接着固定装置、及び認識装置１０４を統括制御する制御装置（図示省略）を備えている。ユニット移動装置１０１、ヘッド補正装置１０２、接着固定装置、及び認識装置１０４は、機台１０６の上、または機台１０６の上に設置された支持スタンド１１６に支持されるように設置されている。
【００７８】
ユニット移動装置１０１は、組立対象物であるヘッドユニット３０を載置して保持する保持テーブル１１０と、保持テーブル１１０が固定されており、保持テーブル１１０をθ方向に回動することで保持テーブル１１０に載置されたヘッドユニット３０をθ方向に回動する回動機構１０９を備えている。ユニット移動装置１０１は、また、回動機構１０９をＸ軸方向に移動することでヘッドユニット３０をＸ軸方向に移動するＸ軸移動機構１０７と、回動機構１０９をＹ軸方向に移動することでヘッドユニット３０をＹ軸方向に移動するＹ軸移動機構１０８とを備えている。保持テーブル１１０が、セットテーブルに相当する。
【００７９】
Ｙ軸移動機構１０８は、Ｙ軸移動プレート１１７と、機台１０６の上にＹ軸方向に延在するように設けられており、Ｙ軸移動プレート１１７をエアスライダ（図示省略）を介してＹ軸方向に移動させるリニアモータ１１８ａを備えた一対のＹ軸レール１１８，１１８とを有している。Ｘ軸移動機構１０７は、Ｘ軸移動プレート１１２と、Ｙ軸移動プレート１１７の上にＸ軸方向に延在するように設けられており、Ｘ軸移動プレート１１２をエアスライダ（図示省略）を介してＸ軸方向に移動させるリニアモータ１１１ａを備えた一対のＸ軸レール１１１，１１１とを有している。回動機構１０９は、Ｘ軸移動プレート１１２に固定された固定プレート１１９ａと、図示省略した回動モータを介して固定プレート１１９ａにθ方向に回動可能に支持されている回動プレート１１９ｂとを有している。保持テーブル１１０は、回動プレート１１９ｂに固定されている。
【００８０】
保持テーブル１１０には、保持テーブル１１０に固定されるユニットプレート５１が当接する部分である略長方形のユニット受部１６２が２個所形成されている。２個所のユニット受部１６２は、Ｘ軸及びＹ軸に略平行な平面であって、Ｚ軸方向の位置が略同一の平面である。ユニット受部１６２の中央付近には位置規制ピン１６３が立設されている。１個所のユニット受部１６２にはそれぞれ２個所のねじ孔１６４が形成されている。ユニット受部１６２の両側には、マスク受部１６１が形成されている。マスク受部１６１は、ユニット受部１６２より高くなっている。
【００８１】
認識装置１０４は、ヘッドなどの画像を認識するためのカメラ１４３及びレンズ１４４と、対象物を照明するための照明装置１４６と、カメラ１４３及びレンズ１４４をＺ軸方向に移動してピント調節を行うためのカメラ上下機構１４７及びカメラ上下モータ１４８と、を有している。認識装置１０４は、カメラ１４３、レンズ１４４、照明装置１４６、カメラ上下機構１４７、及びカメラ上下モータ１４８の組を一対備えている。認識装置１０４は、レンズ１４４が保持テーブル１１０上に載置されたヘッドユニット３０に対向できるように、支持スタンド１１６に支持されている。
【００８２】
ヘッド補正装置１０２は、一対の調整ピン１２１，１２１を有している。一対の調整ピン１２１，１２１は、副ヘッド保持部材３３に形成された第一調整穴３３ａと第二調整穴３３ｂとに係合して、ユニットプレート５１に仮装着された液滴吐出ヘッド４０を適切な位置に位置決めするために微少移動させる力を副ヘッド保持部材３３に印加する。また、ヘッド補正装置１０２は、図７では認識装置１０４の影になる部分に設けられたピンＸ軸移動機構、ピンＹ軸移動機構、ピン回動機構、および調整ピン上下機構、を有している。調整ピン上下機構によって一対の調整ピン１２１，１２１を下降させることで第一調整穴３３ａ及び第二調整穴３３ｂに係合させる。ピンＸ軸移動機構とピンＹ軸移動機構とによって、Ｘ軸およびＹ軸に平行な方向に第一調整穴３３ａ及び第二調整穴３３ｂに係合した一対の調整ピン１２１，１２１を移動させること、及び、ピン回動機構によってθ方向に回動させることで、ユニットプレート５１に仮装着された液滴吐出ヘッド４０を微少移動させて、適切な位置に位置決めする。一対の調整ピン１２１，１２１相互のＸ軸Ｙ軸平面方向の位置関係は固定であって、ピンＸ軸移動機構、ピンＹ軸移動機構、およびピン回動機構によって同時に移動させられる。調整ピン上下機構による移動は、各調整ピン１２１毎に個別に行われる。
【００８３】
次に、図８を参照して、ヘッドユニット３０が保持テーブル１１０に載置された状態について説明する。図８は、保持テーブルと保持テーブルに載置されたヘッドユニットの平面図である。上述したように、ヘッドユニット３０のユニットプレート５１には、第一位置規制孔５２ａ及び第二位置規制孔５２ｂと、ユニット固定孔５３とが形成されている。保持テーブル１１０には、２個所のユニット受部１６２と、２個所の位置規制ピン１６３と、４個所のねじ孔１６４と、が形成されている。図８に示すように、ヘッドユニット３０は、保持テーブル１１０に設けられた位置規制ピン１６３をユニットプレート５１に形成された第一位置規制孔５２ａ及び第二位置規制孔５２ｂに嵌入させることで、保持テーブル１１０に対して位置決めされている。位置決めされたヘッドユニット３０は、ユニットプレート５１に形成されたユニット固定孔５３を貫通して保持テーブル１１０に形成されたねじ孔１６４（図７参照）に螺合した４本のユニット固定ねじ６８により、保持テーブル１１０に固定されている。
【００８４】
回動機構１０９と保持テーブル１１０とのＸ軸，Ｙ軸に平行な平面方向の位置は、回動機構１０９の回動中心１０９Ｇが、保持テーブル１１０の略中央に位置するように構成されている。２個所の位置規制ピン１６３は、回動中心１０９Ｇを通り、Ｘ軸方向に延在する直線上であって、回動中心１０９Ｇを挟んで対称な位置にその中心が位置するように形成されている。４個所のねじ孔１６４も回動中心１０９Ｇを通り、Ｙ軸方向に延在する直線に関して互いに対称の位置に形成されている。従って、ユニットプレート５１が保持テーブル１１０に固定された状態で、ユニットプレート５１の中心点Ｇと、回動中心１０９Ｇとは、Ｘ軸，Ｙ軸に平行な平面方向の位置が略一致する。一対の基準マーク孔５６，５６は、回動中心１０９Ｇを通り、Ｘ軸方向に延在する直線上であって、回動中心１０９Ｇを挟んで対称な位置にその中心が位置する。
【００８５】
（ヘッドユニット組立方法）
次に、ヘッドユニット３０を組立てるヘッドユニット組立装置１００による組立方法について、図９を参照して詳細に説明する。図９は、ヘッドユニット組立装置によるヘッドユニットの組立過程を示すフローチャートである。
【００８６】
作業の実行に先立ち、保持テーブル１１０にアライメントマスクを導入し、認識装置１０４によりアライメントマスクの基準マークを画像認識する。基準マークは、基準ピン５４に形成された基準マーク孔５６（図４参照）の位置、及び基準マーク孔５６を基準とした各液滴吐出ヘッド４０の位置すべき基準位置を、印したものである。ヘッドユニット組立装置１００は、画像認識した基準位置データを記憶し、この基準位置データ（マスタデータ）に基づいて各液滴吐出ヘッド４０の位置補正が行われる。なお、アライメントマスクは、新規のヘッドユニット３０の導入組立時はもとより、同一のヘッドユニット３０であっても、その組立個数や稼動時間に基づいて、定期的に導入される。もちろん、その際に基準位置データはリセットされる。認識装置１０４によりアライメントマスクの基準マークを画像認識する工程が、設定位置取得工程に相当する。
【００８７】
ヘッドユニット組立装置１００には、液滴吐出ヘッド４０が仮装着されたヘッドユニット３０がセットされる。ヘッドユニット３０は、各液滴吐出ヘッド４０のヘッド本体４０Ａを上向きにして保持テーブル１１０の上面にセットされる。ヘッドユニット３０が保持テーブル１１０の上面にセットされて、ヘッドユニット組立装置１００による液滴吐出ヘッド４０の位置調整であるヘッドユニット３０の組立工程を開始する。液滴吐出ヘッド４０をユニットプレート５１に予め仮装着する工程が、仮固定工程に相当する。
【００８８】
図９のステップＳ１では、認識装置１０４によって一対の基準ピン５４，５４の一方の基準ピン５４に形成された基準マーク孔５６を認識することで、基準マーク孔５６の位置を検出する。ステップＳ１が基準点検出工程に相当する。
【００８９】
次に、ステップＳ２では、認識装置１０４が一対の基準ピン５４，５４の他方の基準ピン５４に形成された基準マーク孔５６を認識できるようにするために、他方の基準ピン５４が認識装置１０４に臨む位置になるように、Ｘ軸移動機構１０７によって、保持テーブル１１０にセットされているヘッドユニット３０をＸ軸方向に移動させる。
【００９０】
次に、ステップＳ３では、認識装置１０４が一対の基準ピン５４，５４の他方の基準ピン５４に形成された基準マーク孔５６を認識することで、もう一方の基準マーク孔５６の位置を検出する。
【００９１】
次に、ステップＳ４では、ステップＳ１で認識した一方の基準マーク孔５６の位置と、ステップＳ３で認識したもう一方の基準マーク孔５６の位置とのＹ軸方向のずれ量が規格を満たすか否かを判定する。図８を参照して説明したように、一対の基準マーク孔５６，５６は、回動中心１０９Ｇを通り、Ｘ軸方向に延在する直線上であって、回動中心１０９Ｇを挟んで対称な位置にその中心が位置するように規定されている。即ち一方の基準マーク孔５６の位置と、他方の基準マーク孔５６の位置とのＹ軸方向のずれは、ヘッドユニット３０がθ方向に傾いていることにより発生する。
【００９２】
Ｙ軸方向のずれ量が規格を満たさない場合（ステップＳ４でＮＯ）は、ステップＳ５に進む。ステップＳ５では、回動機構１０９によって、保持テーブル１１０上のヘッドユニット３０をθ方向に回動させることで、ヘッドユニット３０の方向を調整する。上述したように、一対の基準マーク孔５６，５６は、回動中心１０９Ｇを挟んで略対称な位置に位置するため、基準マーク孔５６の一方がＹ軸方向のずれ量の半分程度移動するように回動させることで、Ｙ軸方向のずれを是正することができる。ステップＳ５の次にはステップＳ１に進み、ステップＳ１からステップＳ４を繰り返す。
【００９３】
Ｙ軸方向のずれ量が規格を満たす場合（ステップＳ４でＹＥＳ）は、ステップＳ６に進む。ステップＳ６では、予め取得してある基準位置データ上の基準マーク孔５６の位置に認識された基準マーク孔５６の位置が合致するように、Ｘ軸移動機構１０７と、Ｙ軸移動機構１０８と、を用いて、保持テーブル１１０上のヘッドユニット３０をＸ軸方向及びＹ軸方向に移動する。ステップＳ５と、ステップＳ６とが、基準点設定工程に相当する。
【００９４】
次に、ステップＳ７では、認識装置１０４によって液滴吐出ヘッド４０の位置を検出する。液滴吐出ヘッド４０の検出は、液滴吐出ヘッド４０の吐出ノズル４２を、認識装置１０４によって認識することで行う。例えば、ノズル列４３の両端の吐出ノズル４２を認識する。
【００９５】
次に、ステップＳ８では、ステップＳ７で認識した液滴吐出ヘッド４０の位置の、予め取得してある基準位置データ上の液滴吐出ヘッド４０の位置とのずれ量が、規格を満たすか否かを判定する。
【００９６】
ずれ量が規格を満たさない場合（ステップＳ８でＮＯ）は、ステップＳ９に進む。ステップＳ９では、ヘッド補正装置１０２により、液滴吐出ヘッド４０の位置補正を行う。ヘッド補正装置１０２と認識装置１０４との位置関係は、認識装置１０４によって液滴吐出ヘッド４０の吐出ノズル４２を認識することができる位置に液滴吐出ヘッド４０が位置する場合には、ヘッド補正装置１０２の一対の調整ピン１２１，１２１は、液滴吐出ヘッド４０が固定された副ヘッド保持部材３３に形成された第一調整穴３３ａと第二調整穴３３ｂに臨んで位置するような位置関係になっている。この位置で調整ピン上下機構によって一対の調整ピン１２１，１２１を下降させることで第一調整穴３３ａ及び第二調整穴３３ｂに係合させる。
【００９７】
ピンＸ軸移動機構とピンＹ軸移動機構とによって、Ｘ軸およびＹ軸に平行な方向に第一調整穴３３ａ及び第二調整穴３３ｂに係合した一対の調整ピン１２１，１２１を移動させること、及び、ピン回動機構によってθ方向に回動させることで、ユニットプレート５１に仮装着された液滴吐出ヘッド４０を微少移動させて、認識した液滴吐出ヘッド４０を、予め取得してある基準位置データ上の液滴吐出ヘッド４０の位置に移動させ、当該位置に位置決めする。ヘッド補正装置１０２による液滴吐出ヘッド４０の位置決めが、ヘッド位置決め工程に相当する。
【００９８】
ステップＳ９の次には、一対の調整ピン１２１，１２１が、第一調整穴３３ａと第二調整穴３３ｂとに係合している状態を維持しながらステップＳ７に進み、ステップＳ７およびステップＳ８を繰り返す。
【００９９】
ずれ量が規格を満たす場合（ステップＳ８でＹＥＳ）は、この位置決め完了状態を維持しつつ、ステップＳ１０に進む。位置決め完了状態を維持するためには、一対の調整ピン１２１，１２１が、第一調整穴３３ａと第二調整穴３３ｂとに係合している状態を維持する。ステップＳ１０では、接着固定装置によって、接着剤孔３３ｃに接着剤を注入することによって、接着剤孔３３ｃの内面、及び接着剤孔３３ｃに臨む主ヘッド保持部材３２の面に接着剤を塗布することで、副ヘッド保持部材３３の主ヘッド保持部材３２への接着剤による接着固定を実行する。接着剤注入後、当該接着剤が略硬化するまで、一対の調整ピン１２１，１２１が、第一調整穴３３ａと第二調整穴３３ｂとに係合している状態を維持することで、接着剤が硬化する過程で変形することによる液滴吐出ヘッド４０の新たな位置ずれの発生を抑制する。接着固定装置による、副ヘッド保持部材３３の主ヘッド保持部材３２への接着剤による接着固定が、固定工程に相当する。
【０１００】
次に、ステップＳ１１では、ヘッドユニット３０の１２個の液滴吐出ヘッド４０の全てについて、位置決め及び接着固定が実行されたか否かを判定する。１２個の液滴吐出ヘッド４０の全てについて、位置決め及び接着固定が実行されていない場合（ステップＳ１１でＮＯ）は、ステップＳ７に進み、位置決め及び接着固定が実行されていない液滴吐出ヘッド４０について、ステップＳ７からステップＳ１１を繰り返す。
【０１０１】
１２個の液滴吐出ヘッド４０の全てについて、位置決め及び接着固定が完了していた場合（ステップＳ１１でＹＥＳ）は、ヘッドユニット組立装置１００によるヘッドユニット３０の組立過程を終了する。
【０１０２】
さらに、手作業によって、保持部材ねじ３８を用いて、副ヘッド保持部材３３を、主ヘッド保持部材３２に固定することで、図３を参照して説明したように、液滴吐出ヘッド４０がユニットプレート５１に固定される。
【０１０３】
以下、実施形態の効果を記載する。本実施形態によれば、以下の効果が得られる。
（１）１基のヘッドユニット３０に搭載された１２個の液滴吐出ヘッド４０は、ヘッド４０１ｆ，４０１ｅ，４０１ｄ，４０１ｃ，４０１ｂ，４０１ａと、ヘッド４００ａ，４００ｂ，４００ｃ，４００ｄ，４００ｅ，４００ｆとが、基準点である基準マーク孔５６の中点Ｇに関して点対称の位置及び方向に配置されている。中点Ｇは、複数の液滴吐出ヘッドのそれぞれからの距離の最大値が最も小さくなる点であることから、中点Ｇを原点とする座標で液滴吐出ヘッド４０の位置を規定することで、原点に対してヘッド４００ａから４００ｆ及び４０１ａから４０１ｆが配置されるべき位置までの距離の最大値を最も小さくして、位置誤差の要因である距離のばらつきの絶対値を小さくすることで、液滴吐出ヘッド４０を精度良く位置決めすることができる。
【０１０４】
（２）一対の基準マーク孔５６，５６を結ぶ線Ａの延在方向が、液滴吐出装置１の主走査方向と一致する。ヘッドユニット３０を構成する複数の液滴吐出ヘッド４０の位置を、主走査方向及び主走査方向に直交する副走査方向を座標軸として、容易に表すことができる。ヘッドユニット３０を構成する複数の液滴吐出ヘッド４０も相互の位置関係が主走査方向及び副走査方向を座標軸として表されることで、液滴吐出ヘッド４０の位置と相対移動量とが座標変換を必要とせずに対応可能となる。
【０１０５】
（３）一対の基準マーク孔５６，５６と、第一位置規制孔５２ａと、第二位置規制孔５２ｂとは、ともにその中心を線Ａが通る位置に形成されている。一直線上に形成すると直線上からのずれが検出しやすいため、基準マーク孔５６と、第一位置規制孔５２ａ及び第二位置規制孔５２ｂとの相対位置誤差の大きさを抑制することができる。
【０１０６】
（４）ユニットプレート５１が保持テーブル１１０に固定された状態で、ユニットプレート５１の中心点Ｇと、回動機構１０９の回動中心１０９Ｇとは、Ｘ軸，Ｙ軸に平行な平面方向の位置が略一致する。ステップＳ５で、回動機構１０９によって、保持テーブル１１０上のヘッドユニット３０をθ方向に回動させることで、ヘッドユニット３０の方向を調整する際には、ユニットプレート５１は中心点Ｇを中心に回動させられる。一対の基準マーク孔５６，５６は、回動中心１０９Ｇを通りＸ軸方向に延在する直線上にあるため、回動することで基準マーク孔５６，５６がＸ軸方向にずれる量を小さくすることができる。回動後の基準マーク孔５６，５６を検出する際には、Ｘ軸方向は、回動前の基準マーク孔５６，５６の近傍の狭い範囲を検索するだけで回動後の基準マーク孔５６，５６を検出できる可能性が高い。
【０１０７】
以上、添付図面を参照しながら本発明に係る好適な実施形態について説明したが、本発明の実施形態は、前記実施形態に限らない。本発明は、前記実施形態に限定されるものではなく、本発明の要旨を逸脱しない範囲内において種々変更を加え得ることは勿論であり、以下のように実施することもできる。
【０１０８】
（変形例１）前記実施形態においては、ユニットプレート５１のキャリッジ枠６２又は保持テーブル１１０に対する位置決めは、ユニットプレート５１に形成された第一位置規制孔５２ａと、第二位置規制孔５２ｂとを、位置規制ピン６３又は位置規制ピン１６３に係合させることで行っていた。しかし、ユニットプレート５１に形成する位置規制構造が孔であることは必須ではない。ユニットプレート５１に、位置規制ピンのような突起を形成し、キャリッジ枠６２又は保持テーブル１１０に当該突起に係合する凹部を形成してもよい。
【０１０９】
（変形例２）前記実施形態においては、一対の基準マーク孔５６，５６と、第一位置規制孔５２ａと、第二位置規制孔５２ｂとは、主走査方向に延在する直線である線Ａ上に配置されていたが、主走査方向に延在する直線上に配置することは必須ではない。副走査方向に延在する直線上に配置しても同様の効果を得ることができる。
【０１１０】
（変形例３）前記実施形態においては、基板Ｗと液滴吐出ヘッド４０との相対移動は、基板Ｗと液滴吐出ヘッド４０との双方が走査方向に移動することで実行されていたが、双方が移動することは必須ではない。走査は一方が固定されており、他方が主走査方向及び副走査方向に移動する構成であってもよい。
【０１１１】
（変形例４）前記実施形態においては、基板Ｗと液滴吐出ヘッド４０との相対移動は、主走査方向及び副走査方向に相対移動する構成であったが、主走査方向及び副走査方向の両方向に相対移動することは必須ではない。基板Ｗの副走査方向全面にわたって吐出ノズル４２を形成し、主走査のみを行う構成であってもよい。
【０１１２】
（変形例５）前記実施形態においては、１基のヘッドユニット３０の１２個の液滴吐出ヘッド４０について接着剤を用いる固定が完了した後に、保持部材ねじ３８を用いる副ヘッド保持部材３３の主ヘッド保持部材３２への固定を実行していたが、１２個の液滴吐出ヘッド４０について接着固定完了後に保持部材ねじ３８を用いるねじ固定を実行することは必須ではない。液滴吐出ヘッド４０のそれぞれ一個所毎に、接着固定に続いてねじ固定を実行してもよい。
【０１１３】
（変形例６）前記実施形態においては、液滴吐出ヘッド４０の位置を検出し、位置補正の必要がある場合に一対の調整ピン１２１，１２１を、第一調整穴３３ａと第二調整穴３３ｂとに係合させていたが、位置補正の必要がある場合にのみ係合させることは必須ではない。液滴吐出ヘッド４０の位置を検出するために吐出ノズル４２を認識する前に一対の調整ピン１２１，１２１を、第一調整穴３３ａと第二調整穴３３ｂとに係合させてもよい。位置補正が不要の場合であっても、調整ピン１２１，１２１が、第一調整穴３３ａと第二調整穴３３ｂとに係合していることで、接着工程などにおいてずれが生ずることを抑制することができる。
【０１１４】
（変形例７）前記実施形態においては、ヘッドユニット組立装置１００による組立工程は、接着固定することをもって終了していたが、接着固定完了後、再度液滴吐出ヘッド４０の位置確認を行っても良い。組立（液滴吐出ヘッド４０の位置調整）結果を検証することができることから、ヘッドユニット３０の信頼性が向上する。
【０１１５】
（変形例８）前記実施形態においては、液滴吐出ヘッド４０のユニットプレート５１上の位置を規定する際などの基準として、基準ピン５４に形成された小孔である基準マーク孔５６を用いていたが、基準が孔であることは必須ではない。認識装置１０４によって明瞭に検出することができるものであればよい。微小経の突起の頂上を基準として用いてもよい。
【０１１６】
（変形例９）前記実施形態においては、液滴吐出ヘッド４０のユニットプレート５１上の位置を規定する際などの基準として、基準ピン５４に形成された小孔である基準マーク孔５６を用いていたが、基準マーク孔５６を基準ピン５４に形成することは必須ではない。ユニットプレート５１に直接基準マーク孔５６を形成してもよい。ユニットプレート５１に直接基準マーク孔５６を形成することで、基準ピン５４の形状誤差の影響を排除して、より正確な位置に基準マーク孔５６を形成することができる。
【図面の簡単な説明】
【０１１７】
【図１】液滴吐出装置の概略構成を示す外観斜視図。
【図２】液滴吐出ヘッドをノズル形成プレート側から見た外観斜視図。
【図３】（ａ）ユニットプレートに取付けられた液滴吐出ヘッドをノズルプレート側からみた平面図。（ｂ）図３（ａ）にＡ−Ａで示した断面の断面図。
【図４】（ａ）基準ピンを基準マーク孔側から見た平面図。（ｂ）基準ピンの側面図。
【図５】キャリッジにおけるヘッドユニットの平面図。
【図６】キャリッジユニットの側面図。
【図７】ヘッドユニット組立装置の構成を示す模式図。
【図８】保持テーブルと保持テーブルに載置されたヘッドユニットの平面図。
【図９】ヘッドユニット組立装置によるヘッドユニットの組立過程を示すフローチャート。
【符号の説明】
【０１１８】
１…液滴吐出装置、１０…Ｘ軸走査機構、１４…基板ステージ、１６…回動機構、１７…Ｙ軸走査機構、２０…キャリッジユニット、２１…キャリッジプレート、２２…キャリッジ、３０…ヘッドユニット、３２…主ヘッド保持部材、３３…副ヘッド保持部材、３３ａ…第一調整穴、３３ｂ…第二調整穴、４０…液滴吐出ヘッド、４２…吐出ノズル、４３…ノズル列、５１…ユニットプレート、５２ａ…第一位置規制孔、５２ｂ…第二位置規制孔、５３…ユニット固定孔、５４…基準ピン、５６…基準マーク孔、６２…キャリッジ枠、６３…位置規制ピン、６４…ねじ孔、７０…吊下機構、７４…吊下回動枠、１００…ヘッドユニット組立装置、１０１…ユニット移動装置、１０２…ヘッド補正装置、１０４…認識装置、１０９…回動機構、１０９Ｇ…回動中心、１１０…保持テーブル、１２１…調整ピン、１６２…ユニット受部、１６３…位置規制ピン、１６４…ねじ孔、４００ａ，４００ｂ，４００ｃ，４００ｄ，４００ｅ，４００ｆ，４０１ａ，４０１ｂ，４０１ｃ，４０１ｄ，４０１ｅ，４０１ｆ…ヘッド。
【図１】
0005380768.tif 000002
【図２】
0005380768.tif 000003
【図３】
0005380768.tif 000004
【図４】
0005380768.tif 000005
【図５】
0005380768.tif 000006
【図６】
0005380768.tif 000007
【図７】
0005380768.tif 000008
【図８】
0005380768.tif 000009
【図９】
0005380768.tif 000010